(57)【特許請求の範囲】
【請求項１】
薄葉紙を収納する箱体と、該薄葉紙を引出すためのスリット状の引出口を備えた蓋体と、前記箱体内に設けられ、該薄葉紙を載置させるための台部材と、前記台部材を前記箱体の底部から前記蓋体方向へ付勢する手段とを備えた供給ケースにおいて、
前記蓋体の内面には、前記引出口の両側に該引出口と平行な列として配置された複数の蓋体突出部が設けられ、前記蓋体突出部はそれぞれ前記引出口から離れるに従って突出高さが増大するテーパ状であり、
前記台部材の上面には、前記引出口に対向する位置の両側に該引出口と平行な列として配置された複数の台部材突出部が設けられ、前記台部材突出部はそれぞれ前記引出口に対向する位置から離れるに従って突出高さが増大するテーパ状であり、
前記蓋体に設けられた複数の前記蓋体突出部と、前記台部材に設けられた複数の前記台部材突出部とが互い違いに対向する位置に設けられていることを特徴とする薄葉紙の供給ケース。
【請求項２】
前記蓋体は互いに独立した２つの部材から構成されており、該２つの部材が対向して前記引出口を構成していることを特徴とする請求項１に記載の薄葉紙の供給ケース。
【請求項３】
前記蓋体に設けられた複数の前記蓋体突出部及び／又は前記台部材に設けられた複数の前記台部材突出部は、前記引出口の中心軸に対して対称に設けられていることを特徴とする請求項１又は２に記載の薄葉紙の供給ケース。
【請求項４】
前記蓋体に設けられた複数の前記蓋体突出部は複数のリブであり、前記台部材に設けられた複数の前記台部材突出部間の溝に該複数のリブがそれぞれ係入されるように構成されていることを特徴とする請求項１から３のいずれか１項に記載の薄葉紙の供給ケース。
【請求項５】
前記蓋体に設けられた複数の前記蓋体突出部及び／又は前記台部材に設けられた複数の前記台部材突出部は、突出高さが直線的に不連続に増大するように構成されていることを特徴とする請求項１から４のいずれか１項に記載の薄葉紙の供給ケース。
【請求項６】
前記蓋体に設けられた複数の前記蓋体突出部及び／又は前記台部材に設けられた複数の前記台部材突出部は、突出高さが曲線的に連続的に増大するように構成されていることを特徴とする請求項１から４のいずれか１項に記載の薄葉紙の供給ケース。
【発明の詳細な説明】
【技術分野】
【０００１】
本発明は、連続して順次取出し可能に収納した薄葉紙の供給ケースに関する。
【背景技術】
【０００２】
従来から、図８に示すように、連続して引出し可能とするために、複数枚の２つ折りの紙片の折曲げ方向を向き合わせにして、紙片の端部同士を交互に重ね合わせて積層させた薄葉紙（以下、薄葉紙という）がある。このような薄葉紙としては、例えば、パーマネントを施す際に毛髪の毛先を巻いて押さえるために用いるコールドペーパー、ティッシュペーパー及びペーパータオル等が知られている。
【０００３】
この薄葉紙は、コールドペーパーの例を挙げると、細いカール用の細いロットに対応する幅狭の薄葉紙、大きなカール用の太いロットに対応する幅広の薄葉紙、といったように、サイズの異なるものが存在する。
【０００４】
このような薄葉紙を連続して取出し得る供給ケースとして、特許文献１には、矩形箱体状の上面部中央に開口する引出口から薄葉紙が連続して取出し得るように内部から上面方向へ付勢状態で収納されており、この上面部内側には引出口側に向けて山形誘発面部が設けられている薄葉紙の供給ケースが記載されている。さらに、ケース本体の内側上下に亘って溝を対向して形成し、対抗溝の間に仕切り板を差込みすることで、薄葉紙の各サイズに対応して収納引出可能であることが記載されている。
【０００５】
また、特許文献２には、広幅方向の両側面の内側面にウレタンフォームなどの圧縮可能な弾性部材からなる位置調整用の部材を設けた衛生薄葉紙用ディスペンサーが記載されている。
【先行技術文献】
【特許文献】
【０００６】
【特許文献１】実公平６−４６４０１号公報
【特許文献２】特開２００６−２７６９４号公報
【発明の概要】
【発明が解決しようとする課題】
【０００７】
特許文献１に記載された薄葉紙の供給ケースでは、ケース本体の内側に薄葉紙の各サイズに合った仕切り板を差し込むことで薄葉紙の各サイズに合わせて収納可能としている。それゆえ、薄葉紙を収納する際に、その都度収納する薄葉紙に対応する位置の溝に仕切り板を差し込まなくてはならず、供給ケース本体とは別の仕切り板という部材が必要になると共に、収納に手間がかかっていた。さらに、溝の位置ごとに対応できる薄葉紙の幅が決まってしまうため、薄葉紙のサイズと溝の位置が合わず、適当な仕切り板を使用できない場合もあった。
【０００８】
また、特許文献２に記載された衛生薄葉紙用ディスペンサーでは、圧縮可能な弾性部材が紙箱入りの薄葉紙の側面と接触して内部スペースを埋めて位置を調整する。それゆえ、紙箱入りでない薄葉紙、例えば、コールドペーパー等では、ディスペンサー内に収納された薄葉紙に直接弾性部材からの圧力がかかり、薄葉紙が曲がったり、変形するために、引出口から薄葉紙が引出しされなくなるという問題があった。
【０００９】
本発明は上述した点に鑑み案出されたもので、その目的は供給ケース本体以外の部材を必要とせず、薄葉紙のサイズにかかわらず簡単にケースの引出口位置に対して中央部分に収納することができ、かつ、収納された薄葉紙のサイズにかかわらず連続して引出しすることができる薄葉紙の供給ケースを提供することにある。
【課題を解決するための手段】
【００１０】
上記課題を解決するため、本発明の薄葉紙の供給ケ−スは、薄葉紙を収納する箱体と、薄葉紙を引出すためのスリット状の引出口を備えた蓋体と、箱体内に設けられ、薄葉紙を載置させるための台部材と、台部材を箱体の底部から蓋体方向へ付勢する手段とを備えた供給ケースにおいて、蓋体の内面には、引出口の両側に引出口と平行な列として配置された複数の蓋体突出部が設けられ、蓋体突出部はそれぞれ引出口から離れるに従って突出高さが増大するテーパ状であり、台部材の上面には、引出口に対向する位置の両側に引出口と平行な列として配置された複数の台部材突出部が設けられ、台部材突出部はそれぞれ引出口に対向する位置から離れるに従って突出高さが増大するテーパ状であり、蓋体に設けられた複数の蓋体突出部と、台部材に設けられた複数の台部材突出部とが互い違いに対向する位置に設けられてなる。
【００１１】
薄葉紙は、箱体内に設けられた台部材に載置されて、蓋体方向へ付勢手段により付勢され、蓋体に備えられた引出口から引出し可能に収納される。薄葉紙の収納にあたっては、薄葉紙をその折曲げ線が引出口と平行となるように台部材上に載置して蓋体を箱体に被せると、台部材の上面に設けられている、引出口から離れるに従って突出高さが増大するテーパ状の台部材突出部と、蓋体の内面に設けられている、引出口に対向する位置から離れるに従って突出高さが増大するテーパ状の蓋体突出部とによって、薄葉紙は押圧される。すなわち、薄葉紙は、その両側の折曲げ線間の中央（幅方向の中心）が引出口に対向するように台部材突出部及び蓋体突出部に案内されその位置で固定支持される。よって、薄葉紙が異なる幅を有する場合であっても、薄葉紙の幅方向の中心が引出口に対向するように固定支持されることとなる。
【００１２】
薄葉紙はその幅方向の中心が引出口に対向するように固定支持されることから、蓋体に備えられた引出口からは薄葉紙の端部が突出され、この端部を掴んで引っ張ることで薄葉紙を連続して取出すことができる。薄葉紙の取出しに伴って、蓋体の内面に設けられたテーパ状の蓋体突出部により生じた引出口の下部と薄葉紙の最上面との空間で薄葉紙が湾曲する。この薄葉紙の湾曲により、折り重なっていた次の段の薄葉紙が引出されやすく、山形の湾曲状にくせ付けされた薄葉紙が次の取出しに備えられる。
【００１３】
箱体に収納された薄葉紙の残量が少なくなると、蓋体に設けられた複数の蓋体突出部と台部材に設けられた複数の台部材突出部とが薄葉紙の幅方向の外側で互いに交差して組合わされ、台部材の薄葉紙と接する部分の面の幅が、収納されている薄葉紙の幅と同程度の長さに調整される。これにより、台部材の上面で薄葉紙が移動する空間が失われ、薄葉紙の幅方向の端部が、蓋体に設けられた複数の蓋体突出部と台部材に設けられた複数の台部材突出部に押圧された状態で固定支持される。それゆえ薄葉紙の残量が少なくなっても、薄葉紙の幅にかかわらず、薄葉紙の幅方向の中心が引出口に対向するように固定支持された状態が保持され、最後まで連続して薄葉紙を引出すことが可能となる。
【００１４】
なお、本明細書において、薄葉紙の幅とは、薄葉紙の折曲げ方向の長さ、即ち薄葉紙の折曲げ線間の距離を意味している。また、本発明で用いる薄葉紙には薄葉紙の束のみでなく、薄葉紙がフィルム等の包装巻シートで結束されている薄葉紙の包装体及び薄葉紙がフィルム等の包装巻シートで結束されていると共に包装巻シートにある破断切込み線をひきちぎるための摘み片がその巻シート上に設けられている薄葉紙の包装体等（特開２００９−１６５７６３号公報参照）も含まれる。
【００１５】
蓋体は互いに独立した２つの部材から構成されており、これら２つの部材が対向して引出口を構成していることが好ましい。薄葉紙を収納する際には、薄葉紙の束を台部材上に載せて指で薄葉紙の上面を押さえながら蓋体を構成する一方の部材を箱体に取付けることにより、薄葉紙を台部材の上で仮固定することができる。仮固定した薄葉紙の最上段の端部を引出口から突出するように摘み、蓋体を構成するもう一方の部材を箱体に取付けることにより、薄葉紙が収納され得る。
【００１６】
蓋体に設けられた複数の蓋体突出部及び／又は台部材に設けられた複数の台部材突出部は、引出口の中心軸に対して対称に設けられていることが好ましい。蓋体に設けられた複数の蓋体突出部及び／又は台部材に設けられた複数の台部材突出部が箱体内部に収納された薄葉紙を均一に押さえるため、薄葉紙が安定して固定される。
【００１７】
蓋体に設けられた複数の蓋体突出部は複数のリブであり、台部材に設けられた複数の台部材突出部間の溝に複数のリブがそれぞれ係入されるように構成されていることが好ましい。蓋体に設けられた複数の蓋体突出部がリブであるため、蓋体突出部と薄葉紙との当接面が小さく、薄葉紙との摩擦力も小さいことから、薄葉紙が引出口から滑らかに引出される。
【００１８】
蓋体に設けられた複数の蓋体突出部及び／又は台部材に設けられた複数の台部材突出部は、突出高さが直線的に不連続に増大するように構成されていることが好ましい。供給ケースに収納される薄葉紙の幅に対応した蓋体突出部及び／又は台部材突出部の突出高さが段階的に選択される。これにより、所定のサイズの薄葉紙が適当に固定され得る。
【００１９】
蓋体に設けられた複数の蓋体突出部及び／又は台部材に設けられた複数の台部材突出部は、突出高さが曲線的に連続的に増大するように構成されていることも好ましい。蓋体突出部及び／又は台部材突出部の突出高さを連続的に増大するように付与することで、多様な幅長さを有する薄葉紙に対応することができる。これにより、多様なサイズの薄葉紙が適当に固定され得る。
【発明の効果】
【００２０】
本発明によれば、以下のような優れた効果を有する薄葉紙の供給ケースを提供することができる。
（１）１つの供給ケースにサイズの異なる薄葉紙がその幅方向の中心が引出口に対向するように固定支持して収納され、安定して連続して引出すことができる。
（２）収納された薄葉紙の残量が少なくなっても、その幅方向の中心が引出口に対向するように固定支持され、使い終わりまで連続して引出すことができる。
（３）供給ケース本体以外の部材を必要とせず、薄葉紙の収納等の取扱いも容易である。
【図面の簡単な説明】
【００２１】
【図１】本発明の実施形態に係る薄葉紙の供給ケースを外から見た斜視図である。
【図２】図１の実施形態に係る薄葉紙の供給ケースの蓋体を構成する蓋部材の１つを開けたところを示す図である。
【図３】図１の供給ケースのＡ−Ａ線断面図であって（ａ）台部材が付勢手段により持ち上げられ蓋体側に最も接近しているところを示すＡ−Ａ線の断面図及び（ｂ）台部材が箱体の底部側に押し下げられたところを示すＡ−Ａ線の断面図である。
【図４】図１のＡ−Ａ線の部分拡大断面図であって（ａ）蓋体及び台部材に設けられた突出部の突出高さが直線的に不連続に増大することを示す拡大断面図及び（ｂ）蓋体及び台部材に設けられた突出部の突出高さが曲線的に連続的に増大することを示す拡大断面図である。
【図５】幅の狭い薄葉紙を使用する場合を示す説明図である。
【図６】幅の広い薄葉紙を使用する場合を示す説明図である。
【図７】薄葉紙の残量が少ない場合の使用状況を示す説明図である。
【図８】薄葉紙の積層構造を示す斜視図である。
【発明を実施するための形態】
【００２２】
以下、図面を参照して本発明の実施形態について説明する。
【００２３】
図１〜７に示すように、供給ケース１は、薄葉紙Ｐを収納する箱体２と薄葉紙Ｐを引出すためのスリット状の引出口４を備えた蓋体３と、箱体２内に設けられ、薄葉紙Ｐを載置させるための台部材５と、台部材５を箱体２の底部から蓋体３方向へ付勢する手段６とを備えており、蓋体３の内面には、引出口４の両側に引出口４と平行な列として配置された複数の蓋体突出部３０が設けられ、蓋体突出部３０はそれぞれ引出口４から離れるに従って突出高さが増大するテーパ状であり、台部材５の上面には、引出口４に対向する位置の両側に引出口４と平行な列として配置された複数の台部材突出部５０が設けられ、台部材突出部５０はそれぞれ引出口４に対向する位置から離れるに従って突出高さが増大するテーパ状であり、蓋体３に設けられた複数の蓋体突出部３０と、台部材５に設けられた複数の台部材突出部５０とが互い違いに対向する位置に設けられている。以下、詳述する。
【００２４】
図１に示すように、供給ケース１は、主に、箱体２と蓋体３とから構成されている。この蓋体３は互いに独立した２つの蓋部材３ａ及び３ｂから構成されており、以下に説明する引出口４の中心を通り、かつ箱体２を二分する中心面に対して面対称の形状を有している。本実施形態においては、これら蓋部材３ａ及び３ｂが所定の間隔をあけて箱体２に取付けられることにより、薄葉紙Ｐを引出すためのスリット状の引出口４が形成される。図３に示すように、蓋部材３ａ及び３ｂの各々は、引出口４を構成していない側に備えられた取付部３１にて箱体２の取付部２１と線細工ばね等で取付けられており、取付部３１を支点として、図２に示すように蓋部材３ａ及び３ｂを夫々開閉することができる。
【００２５】
図２及び図３に示すように、蓋部材３ａ及び３ｂの内面には、テーパ状の蓋体突出部３０が複数設けられている。蓋体突出部３０は、蓋体３を箱体２に取付けて閉めた状態で、台部材５側の方向へ突出している。これら複数の蓋体突出部３０は、引出口４の両側に引出口４とそれぞれ平行な列として２列に配列されている。各列における蓋体突出部３０の数は特に限定されないが、本実施形態においては４つ設けられている。これら蓋体突出部３０は引出口４の中心を通り、かつ箱体２を二分する中心面に対して面対称となるように形成され、引出口４から離れるに従って突出高さが増大するように形成されている。
【００２６】
さらに、図３に示すように、各列の４つの蓋体突出部３０は、蓋体３を箱体２に取付けて閉めた状態で、引出口４の中心軸に対して平行な線上にある各蓋体突出部３０の一点から台部材５の上面までの各垂直距離が、４つの蓋体突出部３０の各々について同じ高さとなるように設計されている。そのため、４つの蓋体突出部３０は、台部材５の上に載置された薄葉紙Ｐを均等に押圧することができる。
【００２７】
また、図４（ａ）に示すようにテーパ状の蓋体突出部３０は、突出高さが直線的に不連続に増大してなる複数のテーパをその突出先端に有するように構成されている。テーパの段数は特に限定されないが、本実施形態においては、蓋体突出部３０が３段のテーパを有している。薄葉紙の幅ＷＰに対応したテーパが段階的に形成されることにより、薄葉紙Ｐが安定して固定される。具体的には、蓋部材３ａの蓋体突出部３０の１段目のテーパから蓋部材３ｂの蓋体突出部３０の１段目のテーパまでの距離Ｗ３１に略等しい幅を有する薄葉紙Ｐが、蓋部材３ａ及び３ｂの１段目のテーパ間に安定して固定される。このように、テーパの段数に対応する複数種類の幅の薄葉紙を安定して固定することができる。なお、蓋部材３ａ及び３ｂのテーパ間の距離は、以下に説明する台部材５のテーパ間の距離と必ずしも等しくある必要はないが、略等しいことが望ましい。
【００２８】
一方、図４（ｂ）に示すように、テーパ状の蓋体突出部３０は、突出高さが曲線的に連続的に増大する単一のテーパをその突出先端に有するように構成されていてもよい。この場合には、図４（ａ）の場合より多種の幅の薄葉紙Ｐに対応して、薄葉紙Ｐを固定することができる。
【００２９】
次に台部材５について説明する。図２〜図４に示すように、台部材５は箱体２の内部に備えられている。使用時は、台部材５の上面には薄葉紙Ｐが載置される。この台部材５の下方には台部材５を箱体２の底部から蓋体３方向へ付勢する付勢手段６が取付けられている。特に限定されないが、付勢手段６は、例えば、コイルスプリング等の弾性体で構成される。本実施形態ではコイルスプリング６が箱体２の底面と台部材５の下面との間に取付けられている。図３で示すように、台部材５の両端にはガイド片５２が設けられており、箱体２の両内側に設けられているガイドレール２２にガイド片５２が嵌合して台部材５が箱体２に取付けられる。台部材５は、ガイド片５２がガイドレール２２に案内されることにより箱体２の底部と蓋体３との間を移動することができ、その下部に取付けられたスプリング６によりガイドレール２２の端のストッパ２３に阻止されるまで常時上方に付勢されている。
【００３０】
図２〜図４に示すように、台部材５の上面には、テーパ状の台部材突出部５０が複数設けられている。台部材突出部５０は、蓋体３を箱体２に取付けて閉めた状態で、蓋体３側の方向へ突出している。これら複数の台部材突出部５０は、引出口４に対向する位置の両側に引出口４とそれぞれ平行な列として２列に配列されている。各列における台部材突出部５０の数は特に限定されないが、本実施形態においては５つ設けられている。これら台部材突出部５０は引出口４の中心を通り、かつ箱体２を二分する中心面に対して面対称となるように形成され、引出口４から離れるに従って蓋体３側へ突出高さが増大するように形成されている。
【００３１】
さらに、図３に示すように、各列の５つの台部材突出部５０は、引出口４の中心軸に対して平行な線上にある各台部材突出部５０の突出高さが５つの台部材突出部５０各々について同じ高さになるように設計されている。そのため、５つの台部材突出部５０は、台部材５の上に載置された薄葉紙Ｐを均等に支持することができる。
【００３２】
また、図４（ａ）に示すようにテーパ状の台部材突出部５０は、突出高さが直線的に不連続に増大してなる複数のテーパをその突出先端に有するように構成されている。テーパの段数は特に限定されないが、本実施形態においては、台部材突出部５０が３段のテーパを有している。薄葉紙の幅ＷＰに対応したテーパが段階的に形成されることにより、薄葉紙Ｐが安定して支持される。具体的には、台部材５の１段目のテーパ間の距離Ｗ５１に略等しい幅を有する薄葉紙Ｐが、台部材５の１段目のテーパ間に安定して支持される。このように、テーパの段数に対応する複数種類の幅の薄葉紙を安定して支持することができる。なお、台部材５のテーパ間の距離は、蓋部材３ａ及び３ｂのテーパ間の距離と必ずしも等しくある必要はないが、略等しいことが望ましい。また、本実施形態において、台部材５の台部材突出部５０及び溝５１でない部分の台部材５の上面は水平面であるが、引出口４の中心を通り、かつ箱体２を二分する中心面に対して角度が設けられていてもよい。
【００３３】
一方、図４（ｂ）に示すように、テーパ状の台部材突出部５０は、突出高さが曲線的に連続的に増大する単一のテーパをその突出先端に有するように構成されていてもよい。この場合には、図４（ａ）の場合より多種の幅の薄葉紙Ｐに対応して、薄葉紙Ｐを支持することができる。
【００３４】
また、蓋体に設けられているテーパ状の蓋体突出部３０及び台部材５に設けられているテーパ状の台部材突出部５０の突出高さは、図４（ａ）のように直線的に不連続に増大するように構成されているものと、図４（ｂ）のように曲線的に連続的に増大するように構成されているものとの組み合わせによるものであってもよい。
【００３５】
次に、蓋体３に設けられた蓋体突出部３０と台部材５に設けられた台部材突出部５０との配置関係を説明する。図２に示すように、蓋体３に設けられた蓋体突出部３０と、台部材５に設けられた台部材突出部５０とは互い違いに対向する位置に設けられている。本実施形態では、蓋体３を構成する蓋部材３ａ及び３ｂの内面に設けられた蓋体突出部３０が４つのリブであり、台部材５の上面に設けられた大小５つの台部材突出部５０の間にある４つの溝５１にこれら４つのリブがそれぞれ係入される。溝５１は蓋体３に設けられた蓋体突出部３０の位置及び突出高さに対応しており、引出口４の中心軸に対して対称に形成され、引出口４に対向する位置から離れるに従って溝５１の深さが増大するように設けられている。
【００３６】
供給ケース１への薄葉紙Ｐの収納にあたり、薄葉紙Ｐを台部材５上に載置すると、薄葉紙Ｐは台部材５の上面に設けられたテーパ状の台部材突出部５０に案内され、その幅方向の中心が引出口４に対向するように中央に配置される。そして、蓋体３を閉めることにより、薄葉紙Ｐは蓋体３の内面に設けられたテーパ状の蓋体突出部３０にも案内され、その幅方向の中心が引出口４に対向するように中央に配置され固定される。また、このテーパ状の蓋体突出部３０は薄葉紙の幅ＷＰに対応したテーパの段部分又は突出高さ部分で薄葉紙の幅方向の端部Ｐ２を蓋体３から箱体２の底部方向へと押圧して、薄葉紙を固定する。このように、異なる幅を有する薄葉紙Ｐであっても、引出口４に対して中央に配置されて固定される。
【００３７】
図５を用いて、本実施形態における幅の狭い薄葉紙を使用する場合について説明する。幅の狭い薄葉紙Ｐ′を台部材５の上面に載置すると、この薄葉紙Ｐ′は台部材５の上面に設けられたテーパ状の台部材突出部５０に案内され、その幅方向の中心が引出口４に対向するように中央に配置される。ここで、薄葉紙の上面を指で軽く押し下げて蓋体３を閉めると、薄葉紙Ｐ′はさらに蓋体３の内面に設けられた蓋体突出部３０に案内され、その幅方向の中心が引出口４に対向して中央に配置される。その際、テーパ状の蓋体突出部３０が薄葉紙の幅ＷＰ′に対応したテーパの段部分又は突出高さ部分で薄葉紙の幅方向の端部Ｐ２′を押圧するため、薄葉紙Ｐ′が固定される。このように、幅の狭い薄葉紙Ｐ′が引出口４に対向して中央に固定されるため、引出口４から離れた位置に薄葉紙Ｐ′の幅方向の中心が配置して薄葉紙の引出端部Ｐ１′が引出口４から少ししか突出しないとか、全く突出しない、というような状態になることがなく、安定して薄葉紙の引出端部Ｐ１′が引出口４から突出する。
【００３８】
次に図６を用いて、本実施形態における幅の広い薄葉紙を使用する場合について説明する。幅の広い薄葉紙Ｐ″を台部材５の上面に載置すると、通常の供給ケースと同様に、薄葉紙Ｐ″は台部材５の上面全体に配置される。薄葉紙Ｐ″の上面を指で軽く押し下げて蓋体３を閉めると、薄葉紙の幅方向の端部Ｐ２″とテーパ状の蓋体突出部３０が接触して蓋体３から箱体２の底部方向へと押圧するため、薄葉紙Ｐ″が固定される。
【００３９】
次に図７を用いて、本実施形態における薄葉紙の残量が少なくなった場合の使用について説明する。箱体２に収納された薄葉紙Ｐの残量が少なくなると、薄葉紙の幅方向の端部Ｐ２の外側で、蓋体３に設けられた蓋体突出部３０が台部材５に設けられた台部材突出部５０の間の溝５１にそれぞれ係入し、台部材の薄葉紙と接する部分の面の幅が、収納されている薄葉紙の幅ＷＰと同程度の長さに調整される。薄葉紙の幅方向の端部Ｐ２の外側で蓋体突出部３０及び台部材突出部５０が互いに交差して組合わされることにより、台部材５の上面に薄葉紙Ｐが移動する空間が失われ、薄葉紙Ｐは台部材５の上面に設けられたテーパ状の台部材突出部５０に案内された状態で固定される。それゆえ薄葉紙の残量が少なくなっても、薄葉紙の幅ＷＰにかかわらず、その薄葉紙Ｐの幅方向の中心が引出口４に対向するように中央に配置された状態が保持され、最後まで連続して薄葉紙Ｐが引出される。
【００４０】
本発明は、上記の実施形態に限定されるものでなく、特許請求の範囲に記載された発明の要旨を逸脱しない範囲内での種々、設計変更した形態を技術的範囲に含まれるものである。
【符号の説明】
【００４１】
１  供給ケース
２  箱体
２１  取付部
２２  ガイドレール
２３  ストッパ
３  蓋体
３ａ、３ｂ  蓋部材
３０  蓋体突出部
Ｗ３１、Ｗ３２、Ｗ３３  蓋部材３ａ及び３ｂの蓋体突出部のテーパ間の距離
３１  取付部
４  引出口
５  台部材
５０  台部材突出部
Ｗ５１、Ｗ５２、Ｗ５３  台部材突出部のテーパ間の距離
５１  台部材の溝
５２  ガイド片
６  付勢手段（コイルスプリング）
Ｐ、Ｐ′、Ｐ″  薄葉紙
Ｐ１、Ｐ１′  薄葉紙の引出端部
Ｐ２、Ｐ２′、Ｐ２″  薄葉紙の幅方向の端部
Ｐ３  薄葉紙の折曲げ線
ＷＰ、ＷＰ′  薄葉紙の幅
【図１】
0005510811.tif 000002
【図２】
0005510811.tif 000003
【図３】
0005510811.tif 000004
【図４】
0005510811.tif 000005
【図５】
0005510811.tif 000006
【図６】
0005510811.tif 000007
【図７】
0005510811.tif 000008
【図８】
0005510811.tif 000009